(57)【要約】【課題】呼出先情報に関する秘匿性の向上を図ること。【解決手段】インターホン玄関装置（子機１）は、表示部１８を備える。表示部１８は、操作入力により受け付けられた呼出先情報Ａ１を表示する。呼出先情報Ａ１は、呼出先を特定するための情報である。表示部１８は、呼出先の呼出中である第１期間、及び呼出先と通話中である第２期間の少なくとも一方の期間内において、呼出先情報Ａ１を、非表示又は視認性の低い低表示可能とする。【選択図】図１
2019195158.tif 000002
【特許請求の範囲】
【請求項１】
操作入力により受け付けられた、呼出先を特定するための呼出先情報を、表示する表示部を備え、
前記表示部は、前記呼出先の呼出中である第１期間、及び前記呼出先と通話中である第２期間の少なくとも一方の期間内において、前記呼出先情報を、非表示又は視認性の低い低表示可能とする、
インターホン玄関装置。
【請求項２】
所定の操作の受け付けに応じて、前記表示部は、前記呼出先情報を、前記非表示又は前記低表示に切り替える、
請求項１に記載のインターホン玄関装置。
【請求項３】
当該インターホン玄関装置の外部から受信する信号に応じて、前記表示部は、前記呼出先情報を、前記非表示又は前記低表示に切り替える、
請求項１又は請求項２に記載のインターホン玄関装置。
【請求項４】
前記表示部は、操作領域を画像表示し、
前記表示部は、前記操作領域へのタッチ操作を受け付けたときに、前記呼出先情報を、前記非表示又は前記低表示に切り替える、
請求項１〜３のいずれか１項に記載のインターホン玄関装置。
【請求項５】
規定の操作の受け付けに応じて、前記表示部は、前記非表示又は前記低表示を解除する、
請求項１〜４のいずれか１項に記載のインターホン玄関装置。
【請求項６】
前記低表示とは、
前記操作入力時に表示する前記呼出先情報の表示サイズよりも小さい第１表示、
前記操作入力時に表示する前記呼出先情報の表示領域の少なくとも一部が欠落した第２表示、及び、
前記操作入力時に表示する前記呼出先情報よりも抽象化された第３表示のうちのいずれか１つ以上を含む表示である、
請求項１〜５のいずれか１項に記載のインターホン玄関装置。
【請求項７】
前記表示部は、更に、前記呼出先の呼出前である第３期間内においても、前記呼出先情報を、前記非表示又は前記低表示可能とする、
請求項１〜６のいずれか１項に記載のインターホン玄関装置。
【請求項８】
請求項１〜７のいずれか１項に記載のインターホン玄関装置と、
前記呼出先であり、前記インターホン玄関装置と通信する通信装置と、
を備える、
インターホンシステム。
【請求項９】
インターホン玄関装置の制御方法であって、
前記インターホン玄関装置は、操作入力により受け付けられた、呼出先を特定するための呼出先情報を、表示する表示部を備え、
当該制御方法は、前記呼出先の呼出中である第１期間、及び前記呼出先と通話中である第２期間の少なくとも一方の期間内において、前記表示部に、前記呼出先情報を、非表示又は視認性の低い低表示させるステップを含む、
制御方法。
【請求項１０】
コンピュータシステムに請求項９に記載の制御方法を実行させるためのプログラム。
【請求項１１】
請求項１〜７のいずれか１項に記載のインターホン玄関装置と通信する通信装置であって、
外部からの入力を受け付ける入力部と、
前記入力に応じて、前記呼出先情報を前記非表示又は前記低表示に切り替えるための信号を、前記インターホン玄関装置に送信する指示部と、
を備える、
通信装置。
【請求項１２】
請求項１〜７のいずれか１項に記載のインターホン玄関装置と通信する通信装置の処理方法であって、
外部からの入力を受け付ける第１ステップと、
前記入力に応じて、前記呼出先情報を前記非表示又は前記低表示に切り替えるための信号を、前記インターホン玄関装置に送信する第２ステップと、
を含む、
処理方法。
【請求項１３】
コンピュータシステムに請求項１２に記載の処理方法を実行させるためのプログラム。
【発明の詳細な説明】
【技術分野】
【０００１】
本開示は、一般に、インターホン玄関装置、インターホンシステム、制御方法、通信装置、処理方法、及びプログラムに関する。本開示は、より詳細には、例えば部屋番号等の呼出先情報を表示する表示部を備えるインターホン玄関装置、当該インターホン玄関装置を備えるインターホンシステム、当該インターホン玄関装置の制御方法、及びプログラムに関する。また本開示は、より詳細には、当該インターホン玄関装置と通信する通信装置、当該通信装置の処理方法、及びプログラムに関する。
【背景技術】
【０００２】
特許文献１には、インターホンシステムが記載されている。このインターホンシステムは、住戸の外玄関や集合住宅の共用玄関（ロビー）等に設置されるカメラ付きのインターホン子機（インターホン玄関装置）と、住戸内に設置されてインターホン玄関装置との間で通話を行うインターホン親機とで構成されている。
【０００３】
例えば来訪者が、このインターホン玄関装置における操作入力部の操作部材を押し操作して住戸番号（呼出先情報）を入力し、確定させると、インターホン玄関装置から該当する親機へ呼出信号が送信される。なお、操作部材を押し操作して入力される内容（数字）は、インターホン玄関装置の表示器（表示部）に表示される。
【先行技術文献】
【特許文献】
【０００４】
【特許文献１】特開２０１２−１５９７４号公報
【発明の概要】
【発明が解決しようとする課題】
【０００５】
ところで、住戸番号等の呼出先情報がインターホン玄関装置の表示部に表示されると、入力を行った人（例えば来訪者）にとっては利便性が良いが、その呼出先情報が、インターホン玄関装置の周囲に居合わせた他人に知られる可能性がある。来訪者又は呼出先の住人等にとっては、呼出先情報が他人に知れられることを望まない場合もある。
【０００６】
本開示は上記事由に鑑みてなされ、呼出先情報に関する秘匿性の向上を図ることができるインターホン玄関装置、インターホンシステム、制御方法、通信装置、処理方法、及びプログラムを提供することを目的とする。
【課題を解決するための手段】
【０００７】
本開示の一態様に係るインターホン玄関装置は、表示部を備える。前記表示部は、操作入力により受け付けられた呼出先情報を表示する。前記呼出先情報は、呼出先を特定するための情報である。前記表示部は、前記呼出先の呼出中である第１期間、及び前記呼出先と通話中である第２期間の少なくとも一方の期間内において、前記呼出先情報を、非表示又は視認性の低い低表示可能とする。
【０００８】
本開示の一態様に係るインターホンシステムは、上記インターホン玄関装置と、前記呼出先であり、当該インターホン玄関装置と通信する通信装置と、を備える。
【０００９】
本開示の一態様に係る制御方法は、インターホン玄関装置の制御方法である。前記インターホン玄関装置は、表示部を備える。前記表示部は、操作入力により受け付けられた呼出先情報を表示する。前記呼出先情報は、呼出先を特定するための情報である。前記制御方法は、前記呼出先の呼出中である第１期間、及び前記呼出先と通話中である第２期間の少なくとも一方の期間内において、前記表示部に、前記呼出先情報を、非表示又は視認性の低い低表示させるステップを含む。
【００１０】
本開示の一態様に係るプログラムは、コンピュータシステムに上記制御方法を実行させる。
【００１１】
本開示の一態様に係る通信装置は、上記インターホン玄関装置と通信する。前記通信装置は、入力部と、指示部と、を備える。前記入力部は、外部からの入力を受け付ける。前記指示部は、前記入力に応じて、前記呼出先情報を前記非表示又は前記低表示に切り替えるための指示信号を、前記インターホン玄関装置に送信する。
【００１２】
本開示の一態様に係る処理方法は、上記インターホン玄関装置と通信する通信装置の処理方法である。前記処理方法は、第１ステップと、第２ステップと、を含む。前記第１ステップにて、外部からの入力を受け付ける。前記第２ステップにて、前記入力に応じて、前記呼出先情報を前記非表示又は前記低表示に切り替えるための指示信号を、前記インターホン玄関装置に送信する。
【００１３】
本開示の一態様に係るプログラムは、コンピュータシステムに上記処理方法を実行させる。
【発明の効果】
【００１４】
本開示によれば、呼出先情報に関する秘匿性の向上を図ることができる、という利点がある。
【図面の簡単な説明】
【００１５】
【図１】図１は、本開示の一実施形態に係るインターホン玄関装置の正面図である。
【図２】図２は、本開示の一実施形態に係るインターホンシステムの構成を示すブロック図である。
【図３】図３Ａ及び図３Ｂは、同上のインターホン玄関装置の表示部で出力される案内画像の概念図である。
【図４】図４Ａ及び図４Ｂは、同上の表示部で出力される案内画像の概念図である。
【図５】図５は、同上のインターホンシステムにおける動作を説明するためのタイミング図である。
【図６】図６Ａ〜図６Ｄは、同上の表示部で出力される部屋番号の概念図である。
【図７】図７Ａ〜図７Ｅは、同上の表示部で出力される部屋番号の概念図である。
【図８】図８Ａ〜図８Ｅは、同上の表示部で出力される部屋番号の概念図である。
【図９】図９は、同上のインターホンシステムにおける変形例（変形例３）の構成を示すブロック図である。
【発明を実施するための形態】
【００１６】
（１）概要
以下の実施形態において説明する図１〜図８Ｅは、模式的な図であり、図１〜図８Ｅ中の各構成要素の大きさや厚さそれぞれの比が、必ずしも実際の寸法比を反映しているとは限らない。
【００１７】
本実施形態に係るインターホンシステム１０は、例えばマンション等の集合住宅に適用される集合住宅用のインターホンシステムである。インターホンシステム１０では、図２に示すように、子機１と各親機２（通信装置）とが制御装置３を介して通信を行う。ただし、本実施形態に係るインターホンシステム１０は、集合住宅以外に、事務所、店舗、学校若しくは介護施設等の非住宅施設等に適用されてもよい。
【００１８】
本実施形態に係るインターホン玄関装置は、ここでは一例として、インターホンシステム１０における子機１であることを想定する（図２参照）。子機１は、例えば、ロビー等の集合住宅の共用部に設置される共用端末（ロビーインターホン）である。子機１は、例えば複数棟にわたって親機２との間で通信（例えば、通話、及び映像信号の送信等）を行うように構成されてもよい。
【００１９】
ここで子機１（インターホン玄関装置）は、図１に示すように、表示部１８を備える。表示部１８は、操作入力により受け付けられた呼出先情報Ａ１を表示する。呼出先情報Ａ１は、呼出先Ｃ１を特定するための情報であり、一例として部屋番号（数字）である。ここでは呼出先Ｃ１は、例えば親機２に相当する。なお、集合住宅の管理室又は多目的ルーム等に設置されている親機２が呼出先Ｃ１となる場合、表示部１８は、数字以外に文字等で表示を行ってもよい。
【００２０】
そして、表示部１８は、呼出先Ｃ１の呼出中である第１期間Ｔ１（図５参照）、及び呼出先Ｃ１と通話中である第２期間Ｔ２（図５参照）の少なくとも一方の期間内において、呼出先情報Ａ１を、非表示又は視認性の低い低表示可能とする。なお、図３Ａ及び図３Ｂでは、子機１の撮像部１１で撮像されている操作者Ｈ１自身の映像が表示部１８の表示画面１８０に出力されている。
【００２１】
この構成によれば、第１期間Ｔ１及び第２期間Ｔ２の少なくとも一方の期間内において、呼出先情報Ａ１が、非表示又は視認性の低い低表示可能とするため、呼出先情報Ａ１が他人に知られる可能性を低減できる。したがって、呼出先情報Ａ１に関する秘匿性の向上（セキュアの向上）を図ることができる。
【００２２】
（２）詳細
次に、本実施形態に係る子機１（インターホン玄関装置）及びインターホンシステム１０についてより詳細に説明する。
【００２３】
以下では、ロビー等の共用部の造営面（例えば壁面）に子機１が取り付けられた状態での、水平面に対して垂直な（直交する）方向を「上下方向」とし、子機１を正面から見て下方（鉛直方向）を「下方」として説明する。また、上下方向と直交し、かつ造営面に平行な方向を「左右方向」とし、子機１を正面から見て右方を「右方」、左方を「左方」として説明する。さらに、上下方向と左右方向との両方に直交する方向、つまり造営面に直交する方向を「前後方向」とし、造営面の裏側（壁裏側）を「後方」として説明する。ただし、これらの方向は、子機１の使用方向を限定する趣旨ではない。
【００２４】
（２．１）全体構成
まず、インターホンシステム１０の全体構成について図２を参照して説明する。
【００２５】
本実施形態に係るインターホンシステム１０は、図２に示すように、子機１と、複数台（図２では２台）の親機２と、制御装置３と、複数台（図２では２台）のドアホン４と、複数台（図２では２台）の分岐器５と、を備えている。
【００２６】
複数台の親機２の各々は、例えば、集合住宅の各住戸内に設置される住戸端末である。各親機２は、子機１との間で通信（例えば、通話、及び映像信号の受信等）を行うように構成されている。各親機２は、子機１の撮像部１１で撮影された映像を表示する表示部２２を有している。親機２は、集合住宅の管理室及び多目的ルーム等にも設置されてもよい。多目的ルームは、例えば、集会場、ゲストルーム、キッズルーム、パーティールーム等の、集合住宅内の共用部施設である。
【００２７】
制御装置３は、子機１と各親機２との間において、呼出制御を行い、信号を中継するように構成されている。制御装置３は、例えば、管理室に設置されている。制御装置３は、例えば、来訪者が子機１を用いて親機２を呼び出したときに、子機１と親機２との間で送受信される信号を中継する。
【００２８】
複数台のドアホン４の各々は、例えば、集合住宅の各住戸の外玄関に設置されている。複数台のドアホン４は、複数台の親機２と一対一に対応している。各ドアホン４は、対応する親機２との間で通信（例えば、通話、及び映像信号の送信等）を行うように構成されている。なお、多目的ルーム等に設置されている親機２に対しては、ドアホン４が接続されてなくてもよい。
【００２９】
子機１は、第１幹線６１を介して制御装置３に接続されている。複数台の分岐器５の各々は、第２幹線６２に挿入されており、第２幹線６２に対して複数台の親機２を接続可能にする。本実施形態では、第２幹線６２から複数の分岐線６３に分岐しており、複数台の分岐器５は、第２幹線６２における複数の分岐線６３の分岐点にそれぞれ設けられている。これにより、各親機２は、分岐器５を介して第２幹線６２に対して接続可能になる。
【００３０】
各親機２は、第２幹線６２、分岐線６３及び分岐器５を介して制御装置３に接続されている。各ドアホン４は、接続線６４を介して対応する親機２に接続されている。第１幹線６１、第２幹線６２、分岐線６３及び接続線６４の各々は、例えば、ツイストペアケーブルからなる。
【００３１】
（２．２）子機
次に、子機１の構成について説明する。子機１は、図２に示すように、撮像部１１と、子機側伝送部１２と、子機側制御部１３と、複数の押しボタンＰ１と、映像処理部１５と、記憶部１６と、センサ１７と、表示部１８と、を有している。複数の押しボタンＰ１及び表示部１８は、子機側操作部１４を構成する。さらに、子機１は、親機２との間で通話を実現するための通話部１９（スピーカ及びマイクロホンを含む）等を有している。また、子機１は、上述した構成要素を収容又は保持する筐体Ｘ１（図１参照）を有している。
【００３２】
筐体Ｘ１は、全体としてへん平な矩形の箱形状に形成されている。筐体Ｘ１は、図１に示すように、その正面側において、正面視が矩形の本体カバーＸ１０と、本体カバーＸ１０の周囲を囲む矩形枠状の化粧カバーＸ１１とを有している。撮像部１１は、本体カバーＸ１０の前面の上部中央において露出するように配置されている。表示部１８は、本体カバーＸ１０の前面における撮像部１１の直ぐ下に配置されている。複数の押しボタンＰ１は、本体カバーＸ１０の前面における表示部１８より下側に配置されている。
【００３３】
本体カバーＸ１０は、その前面における撮像部１１の左横に複数の窓孔Ｘ１２を有している。窓孔Ｘ１２は、親機２の側の人と通話する人（例えば操作者Ｈ１）が発した音声を、通話部１９のマイクロホンに導入するための貫通孔である。本体カバーＸ１０は、その前面における右下隅に複数の音響孔Ｘ１３を有している。音響孔Ｘ１３は、通話部１９のスピーカからの受話音を外部に導出するための貫通孔である。
【００３４】
撮像部１１は、撮像素子を有し、被写体を撮像するためのカメラである。ここでは被写体は、来訪者等の操作者Ｈ１とする。本実施形態では、操作者Ｈ１が子機１を操作する際に少なくとも操作者Ｈ１の顔を撮像できるように、撮像部１１の撮像エリア（視野）は、子機１の前方に設定されている。本実施形態では、撮像部１１は動画を撮像するカメラである。さらに、本実施形態では、撮像部１１はカラー画像を撮像するカメラである。
【００３５】
撮像素子は、例えば、ＣＣＤ（Charge Coupled Devices）イメージセンサ、又はＣＭＯＳ（Complementary Metal-Oxide Semiconductor）イメージセンサ等の二次元イメージセンサである。撮像部１１は、被写体からの光をレンズ等の光学系によって撮像素子の撮像面（受光面）上に結像させ、撮像素子にて被写体からの光を電気信号に変換する。そして、撮像部１１は、撮像素子の出力信号を映像信号として映像処理部１５へ出力する。
【００３６】
子機側伝送部１２は、親機２と通信するための通信インタフェースである。子機側伝送部１２は、第１幹線６１を介して制御装置３に接続されている。図２では、第１幹線６１を１本の線で示している。子機側伝送部１２は、制御装置３の通信部３２を介して、親機２との間で双方向に通信可能に構成されている。子機側伝送部１２は、親機２に対して通信信号を送信するように構成されている。通信信号には、音声信号、映像信号及び制御信号等が含まれている。また、子機側伝送部１２は、通信部３２を介して親機２から送信される通信信号を受信し、受信した通信信号を復調することで音声信号等を取得する。音声信号は、子機側制御部１３を介して通話部１９へ出力される。
【００３７】
子機側操作部１４は、人（操作者Ｈ１）の操作入力を受け付けるように構成されている。子機側操作部１４は、図１に示すように、複数の押しボタンＰ１（図２では１個のブロックで図示）、及びタッチパネル式の表示部１８から構成された、入力インタフェースである。複数の押しボタンＰ１は、例えば、０〜９の数字ボタン（テンキー）Ｎ１、アスタリスク（＊）ボタンＮ２、消ボタンＮ３、呼出ボタンＮ４、及び４つの機能ボタン１４０等を有している。例えば、操作者Ｈ１が、子機１で、部屋番号（住戸番号）「１０２４号室」の住人を呼び出したい場合、数字ボタンＮ１を順に押していき、呼出先情報Ａ１に相当する部屋番号を入力する。入力された呼出先情報Ａ１は、数字ボタンＮ１を１つ押すたびに順次、表示部１８に映し出される。最後に、操作者Ｈ１が、呼出ボタンＮ４を押すことで、呼出先情報Ａ１の入力が確定されて、部屋番号「１０２４」の住戸の親機２（呼出先Ｃ１）に対して呼出が実行される。
【００３８】
映像処理部１５は、撮像部１１から出力される映像信号を受けて、信号処理により映像信号に含まれる映像を処理するように構成されている。映像処理部１５は、例えば、ＤＳＰ（Digital Signal Processor）又はＦＰＧＡ（Field-Programmable Gate Array）等のデバイスにて実現される。
【００３９】
センサ１７は、例えば焦電型の赤外線センサであり、人等が動く際に生じる赤外線の変化量を検出することによって人等を検出する。センサ１７は省略されていてもよい。
【００４０】
子機側制御部１３は、例えば、ＣＰＵ（Central Processing Unit）及びメモリを主構成とするマイクロコンピュータにて構成されている。そして、ＣＰＵがメモリに格納されているプログラムを実行することにより、マイクロコンピュータが子機側制御部１３として機能する。ＣＰＵが実行するプログラムは、ここではマイクロコンピュータのメモリに予め記録されているが、メモリカード等の記録媒体に記録されて提供されてもよいし、インターネット等の電気通信回線を通じて提供されてもよい。
【００４１】
子機側制御部１３は、撮像部１１及び子機側伝送部１２を制御するように構成されている。さらに、子機側制御部１３は、映像処理部１５及び表示部１８を制御するように構成されている。
【００４２】
子機側制御部１３は、撮像部１１を制御することによって、撮像部１１に映像を撮像させる。本実施形態では、子機側制御部１３は、例えば、センサ１７で来訪者等の人を検出すると撮像部１１を起動して人の撮像を開始する。子機側制御部１３は、表示部１８を制御することによって、部屋番号の入力を案内する案内画像に、撮像部１１で撮像中のリアルタイムの映像を重ねて、表示画面１８０に出力する（図３Ａ参照）。また、子機側制御部１３は、呼出先Ｃ１である親機２を呼出中、及び子機１と親機２との間で通信中に撮像部１１で撮像した映像を、親機２に送出する。
【００４３】
子機側制御部１３は、子機側伝送部１２を制御することによって、子機側伝送部１２に親機２への通信信号を送信させ、かつ子機側伝送部１２に親機２からの通信信号を受信させる。親機２への通信信号には、音声信号、映像信号及び制御信号等が含まれている。また、親機２からの通信信号には、音声信号及び制御信号等が含まれている。
【００４４】
子機側制御部１３は、映像処理部１５を制御することによって、映像処理部１５に撮像部１１からの映像信号に含まれる映像を処理させる。映像処理部１５にて処理された映像は、子機側伝送部１２から親機２に送信される。
【００４５】
子機側制御部１３は、複数の押しボタンＰ１にて受け付けた操作入力に応じて、各種の機能を実行するように構成されている。子機側制御部１３は、現在、表示部１８の表示画面１８０で表示中の案内画像との関係性に基づき、当該案内画像と対応する機能を実行するように構成されている。例えば、子機側制御部１３は、表示画面１８０で部屋番号の入力を催促する案内画像が表示されている最中に、数字ボタンＮ１が操作されると、入力された数字を表示画面１８０上に出力していく。そして、子機側制御部１３は、部屋番号の入力後、呼出ボタンＮ４が操作されると、呼出先Ｃ１である親機２の呼出を開始する。
【００４６】
また子機側制御部１３は、各機能ボタン（ファンクションキー）１４０が操作入力を受け付けたときに、所定の機能を実行する。子機側制御部１３は、例えば、一番左の機能ボタン１４０が押されると、日本語の文字案内情報を英語の文字案内情報に切り替える。また子機側制御部１３は、例えば、左から二番目の機能ボタン１４０が押されると、管理室に対して直接呼出を実行する。
【００４７】
記憶部１６は、読み書き可能なメモリで構成されている。記憶部１６は、例えばフラッシュメモリである。記憶部１６は、撮像部１１で撮像した映像を記憶する。本実施形態の記憶部１６は、子機側制御部１３の外部に設けられているが、子機側制御部１３の内部に設けられていてもよい。すなわち、記憶部１６は、子機側制御部１３の内蔵メモリであってもよい。
【００４８】
表示部１８は、例えば、液晶のタッチパネルディスプレイからなる表示画面１８０を有している。表示部１８は、上述の通り、子機側操作部１４の一部を構成する。表示部１８は、子機側制御部１３の制御下で、図３Ａ〜図４Ｂに示すように、基本案内画像Ｇ０、第１案内画像Ｇ１〜第３案内画像Ｇ３を出力（画像表示）する。基本案内画像Ｇ０は、呼出先情報Ａ１（部屋番号）の入力を、来訪者に催促する画像である。第１案内画像Ｇ１は、呼出先情報Ａ１を、１桁ずつ入力される度に表示（提示）する画像である。第２案内画像Ｇ２は、呼出先情報Ａ１に該当する親機２（呼出先Ｃ１）を呼出中であることを案内する画像である。第３案内画像Ｇ３は、子機１が親機２と通話中であることを案内する画像である。これらの案内画像Ｇ０〜Ｇ３は、単なる一例であり、案内画像の種類の数、及びその表示内容は、特に限定されない。
【００４９】
ここで表示部１８は、子機側制御部１３の制御下で、呼出先Ｃ１の呼出中である第１期間Ｔ１及び呼出先Ｃ１と通話中である第２期間Ｔ２のうち、第２期間Ｔ２において、呼出先情報Ａ１を、視認性の低い低表示にする。視認性の低い低表示は、一例として、操作入力時に表示する呼出先情報Ａ１の第１画像Ｂ１（図３Ｂ及び図６Ａ参照）よりも抽象化された表示であり、モザイク表示とする。すなわち、表示部１８は、第２期間Ｔ２において、モザイク加工が施された第２画像Ｂ２を表示する。第２画像Ｂ２は、無加工の第１画像Ｂ１に比べて視認性が低い。モザイク処理は、ぼかし処理でも反転処理でもよい。モザイク処理は、可逆変換可能であるものが望ましい。
【００５０】
また第２期間Ｔ２より前についても、表示部１８は、子機側制御部１３の制御下で、所定の操作の受け付けに応じて、呼出先情報Ａ１を低表示に切り替える。所定の操作とは、表示部１８へのタッチ操作でもよいし、いずれかの押しボタンＰ１（例えばアスタリスクボタンＮ２、消ボタンＮ３、呼出ボタンＮ４又は機能ボタン１４０）への押し操作でもよい。機能ボタン１４０への押し操作の場合、表示部１８は、機能ボタン１４０を押すことで低表示に切り替わることが操作者Ｈ１に分かるような案内表示を行なってもよい。つまり、子機１は、低表示化への切替に関する操作入力が無くても、通話中の第２期間Ｔ２の開始時（図５の時刻ｔ４）には低表示化が実行されるが、第２期間Ｔ２より前では、操作者Ｈ１により低表示の有効／無効を選択できるように構成されている。第２期間Ｔ２より前とは、例えば、第１期間Ｔ１と、呼出前である第３期間Ｔ３とを含む。第３期間Ｔ３は、一例として、操作者Ｈ１が子機側操作部１４へ最初に操作入力を行なった時点から呼出先情報Ａ１の入力を確定する呼出ボタンＮ４を押した時点までの期間である。
【００５１】
さらに表示部１８は、子機側制御部１３の制御下で、規定の操作の受け付けに応じて、低表示を解除する。規定の操作とは、表示部１８へのタッチ操作でもよいし、いずれかの押しボタンＰ１（例えばアスタリスクボタンＮ２、消ボタンＮ３、呼出ボタンＮ４又は機能ボタン１４０）への押し操作でもよい。機能ボタン１４０への押し操作の場合、表示部１８は、機能ボタン１４０を押すことで低表示が解除されることが操作者Ｈ１に分かるような案内表示を行なってもよい。  以下、表示部１８へのタッチ操作について説明する。
【００５２】
表示部１８は、図３Ｂに示すように、例えば「ＯＮ」と表記された四角いボタン形状の操作領域Ｒ１を画像表示する。操作領域Ｒ１の横には「モザイク」と表記されている。操作者Ｈ１が「ＯＮ」と表記された操作領域Ｒ１内を指先でタッチすることで、子機側制御部１３は、呼出先情報Ａ１を低表示化するための切替処理を実行する。すなわち、子機側制御部１３は、現在、表示中の第１画像Ｂ１に対してモザイク処理を施した第２画像Ｂ２を生成し、表示部１８に第２画像Ｂ２を表示させる。図示例では、「ＯＮ」と表記された操作領域Ｒ１は、一例として、第１案内画像Ｇ１の画面状態時に表示されているが、他の案内画像の画面状態時にも表示されてもよい。
【００５３】
また表示部１８は、モザイク処理が施された第２画像Ｂ２を表示中において、例えば「ＯＦＦ」と表記された操作領域Ｒ１を画像表示する。操作者Ｈ１が「ＯＦＦ」と表記された操作領域Ｒ１内を指先でタッチすることで、子機側制御部１３は、呼出先情報Ａ１の低表示化を解除するための解除処理を実行する。すなわち、子機側制御部１３は、現在、表示中の第２画像Ｂ２を、元の第１画像Ｂ１に復元して表示部１８に表示させる。
【００５４】
このように表示部１８が「ＯＮ」又は「ＯＦＦ」と表記された操作領域Ｒ１を画面上に表示させることで、操作者Ｈ１は、任意のタイミングで、呼出先情報Ａ１を低表示に切り替えたりその低表示を解除できたりする。そのため、利便性が向上される。また、本実施形態では、表示部１８が低表示への切替及び低表示の解除のための入力インタフェースとして機能するため、例えば、専用の押しボタンを表示部１８の周囲に設けたり既存のいずれかの押しボタンＰ１にその機能を割り振ったりする必要がない。
【００５５】
解除機能は、必須の構成ではなく、子機１は、低表示への切替機能だけを有してもよい。具体的には、例えば、表示部１８は、低表示に切り替えるための操作領域や案内を表示しているときに押し操作を受け付けて低表示に切り替えると、操作領域や案内を非表示にしてもよい。この場合、低表示の解除を不可とすることで、例えば、子機１の近くに居合わせた、操作者Ｈ１以外の者が割り込んで操作し、呼出先情報Ａ１が確認されてしまうという事態を防止できる。
【００５６】
（２．３）親機の構成
次に、親機２の構成について説明する。親機２は、図２に示すように、親機側伝送部２１と、表示部２２と、親機側制御部２３と、親機側操作部２４と、映像処理部２５と、記憶部２６と、通知部２７と、を有している。さらに、親機２は、子機１及びドアホン４との間で通話を実現するための通話部２９（スピーカ及びマイクロホンを含む）等を有している。
【００５７】
親機側伝送部２１は、子機１及びドアホン４と通信するための通信インタフェースである。親機側伝送部２１は、第２幹線６２、分岐線６３及び分岐器５を介して制御装置３に接続されている。図２では、第２幹線６２及び分岐線６３を１本の線で示している。親機側伝送部２１は、制御装置３の通信部３２を介して、子機１との間で双方向に通信可能に構成されている。親機側伝送部２１は、子機１に対して通信信号を送信するように構成されている。通信信号には、音声信号及び制御信号等が含まれている。また、親機側伝送部２１は、通信部３２を介して子機１から送信される通信信号を受信し、受信した通信信号を復調することで音声信号及び映像信号等を取得する。音声信号は、親機側制御部２３を介して通話部２９へ出力され、映像信号は、親機側制御部２３を介して表示部２２へ出力される。
【００５８】
表示部２２は、映像処理部２５からの映像（例えば子機１の撮像部１１で撮像された映像）を表示するように構成されている。表示部２２は、例えば液晶ディスプレイである。親機２がタッチパネルディスプレイを備えている場合には、タッチパネルディスプレイが表示部２２と親機側操作部２４とを兼ねてもよい。
【００５９】
親機側操作部２４は、人（例えば住人）の操作を受け付けるように構成されている。親機側伝送部２１が住人を呼び出すための呼出信号を受信している状態で、親機側操作部２４に対して所定の操作（例えば押し操作）が行われると、子機１と親機２との間で音声通話が可能な状態となる。
【００６０】
映像処理部２５は、親機側伝送部２１にて受信した子機１からの映像信号を受けて、信号処理により映像信号に含まれる映像を処理するように構成されている。映像処理部２５は、例えば、複数の映像を合成する合成処理を行うように構成されている。映像処理部２５は、例えば、ＤＳＰ又はＦＰＧＡ等のデバイスにて実現される。
【００６１】
親機側制御部２３は、例えば、ＣＰＵ及びメモリを主構成とするマイクロコンピュータにて構成されている。そして、ＣＰＵがメモリに格納されているプログラムを実行することにより、マイクロコンピュータが親機側制御部２３として機能する。ＣＰＵが実行するプログラムは、ここではマイクロコンピュータのメモリに予め記録されているが、メモリカード等の記録媒体に記録されて提供されてもよいし、インターネット等の電気通信回線を通じて提供されてもよい。
【００６２】
親機側制御部２３は、親機側伝送部２１及び表示部２２を制御するように構成されている。さらに、親機側制御部２３は、映像処理部２５を制御するように構成されている。親機側制御部２３は、親機側伝送部２１を制御することによって、親機側伝送部２１に子機１への通信信号を送信させ、かつ親機側伝送部２１に子機１からの通信信号を受信させる。子機１への通信信号には、音声信号及び制御信号等が含まれている。また、子機１からの通信信号には、音声信号、映像信号及び制御信号等が含まれている。親機側制御部２３は、表示部２２を制御することによって、子機１から送られてくる映像を表示部２２に表示させる。
【００６３】
記憶部２６は、読み書き可能なメモリで構成されている。記憶部２６は、例えばフラッシュメモリである。記憶部２６は、子機１から送られてきた映像を記憶する。本実施形態では、記憶部２６は、親機側制御部２３の外部に設けられているが、親機側制御部２３の内部に設けられていてもよい。すなわち、記憶部２６は、親機側制御部２３の内蔵メモリであってもよい。
【００６４】
通知部２７は、例えば呼出音を出力するように構成されている。親機側制御部２３は、子機１からの呼び出しがあると、所定のタイミングで通知部２７に呼出音を出力させる。言い換えると、親機側制御部２３は、子機１からの呼び出しがあると、子機１からの呼び出しがあったことを通知する通知動作を通知部２７に行わせる。なお、通知部２７は、呼出音ではなく、音声を出力するように構成されてもよい。
【００６５】
（２．４）制御装置の構成
次に、制御装置３の構成について説明する。制御装置３は、図２に示すように、信号処理部３１と、通信部３２と、を有している。
【００６６】
通信部３２は、子機１及び親機２と通信するための通信インタフェースである。通信部３２は、第１幹線６１を介して子機１に接続されている。また、通信部３２は、第２幹線６２、分岐線６３及び分岐器５を介して親機２に接続されている。通信部３２は、子機１の子機側伝送部１２との間で双方向に通信可能に構成されている。また、通信部３２は、親機２の親機側伝送部２１との間で双方向に通信可能に構成されている。つまり、通信部３２は、親機側伝送部２１と子機側伝送部１２との間の通信を中継するように構成されている。したがって、通信部３２は、子機１の子機側伝送部１２から送信される通信信号を中継して複数台の親機２に送信する。ここで、子機１から送信される通信信号には、送信先となる親機２を特定するための情報（例えばアドレス等）が含まれている。このため、複数台の親機２のうち自己に割り当てられたアドレスと通信信号に含まれるアドレスとが一致する親機２のみが通信信号を受信することができる。また、通信部３２は、複数台の親機２の各々から送信される通信信号を中継して子機１に送信する。
【００６７】
信号処理部３１は、例えば、ＣＰＵ及びメモリを主構成とするマイクロコンピュータにて構成されている。そして、ＣＰＵがメモリに格納されているプログラムを実行することにより、マイクロコンピュータが信号処理部３１として機能する。ＣＰＵが実行するプログラムは、ここではマイクロコンピュータのメモリに予め記録されているが、メモリカード等の記録媒体に記録されて提供されてもよいし、インターネット等の電気通信回線を通じて提供されてもよい。
【００６８】
信号処理部３１は、通信部３２を制御するように構成されている。具体的には、信号処理部３１は、通信部３２を制御することによって、子機１から送信される通信信号を複数台の親機２に送信させ、かつ複数台の親機２の各々から送信される通信信号を子機１に送信させる。
【００６９】
（２．５）インターホンシステムの動作
以下、インターホンシステム１０の動作について図３Ａ〜図５を参照しながら説明する。
【００７０】
まず、子機１のセンサ１７が時刻ｔ０（図５参照）で来訪者を検出すると、子機１は、撮像部１１を起動し、表示部１８の表示画面１８０にて、図３Ａに示す基本案内画像Ｇ０を出力する。基本案内画像Ｇ０は、呼出先情報Ａ１（部屋番号）の入力を催促する文字案内情報を含む。また、基本案内画像Ｇ０には、来訪者自身の映像が重ねて出力される。
【００７１】
続いて図５の時刻ｔ１で、来訪者が、基本案内画像Ｇ０に従い、子機側操作部１４を用いて呼出先情報Ａ１の入力を開始したとする（図示例では１０２４号室）。時刻ｔ１は、子機側操作部１４への最初の操作入力が行われた時刻である。ここでは、「１」の数字ボタンＮ１が最初に押されることになるが、管理室へ直接呼び出しを実行する場合、数字ボタンＮ１ではなく、機能ボタン１４０が最初に押される場合もある。あるいは、「ＯＮ」表記の操作領域Ｒ１が表示部１８に表示されていれば、操作領域Ｒ１が最初に押される場合もある。
【００７２】
操作者Ｈ１により呼出先情報Ａ１の入力が開始されると、子機１は、基本案内画像Ｇ０から、図３Ｂに示す第１案内画像Ｇ１に画面表示を遷移させる。表示部１８は、呼出先情報Ａ１が１桁ずつ入力される度に順次第１案内画像Ｇ１に出力していく。最後に、操作者Ｈ１が呼出ボタンＮ４を押すことで呼出先情報Ａ１の入力が確定され（時刻ｔ２）、子機１は、制御装置３を介して、呼出先Ｃ１である１０２４号室の親機２にて、呼出を開始させる。この説明例では、第３期間Ｔ３は、例えば、時刻ｔ１〜ｔ２の期間である。図示例では、第１案内画像Ｇ１内に「ＯＮ」表記の操作領域Ｒ１が表示されているが、ここでは、操作者Ｈ１は、第３期間Ｔ３内に操作領域Ｒ１をタッチしなかったとする。なお、呼出先情報Ａ１の入力を確定する呼出ボタンＮ４を押す前に、操作者Ｈ１が操作領域Ｒ１をタッチすれば、呼出先情報Ａ１は、第３期間Ｔ３内に低表示されることになる。
【００７３】
子機１は、時刻ｔ２に呼出ボタンＮ４が押されることで、第１案内画像Ｇ１から、図４Ａに示す第２案内画像Ｇ２に画面表示を遷移させる。第２案内画像Ｇ２では、例えば「このままお待ちください」という案内情報が提示される。一方、親機２では、時刻ｔ２から、呼出音の出力が開始される。
【００７４】
仮に、第２案内画像Ｇ２の画面状態にて、操作者Ｈ１が「ＯＮ」表記の操作領域Ｒ１にタッチ操作したとする（時刻ｔ３）。すると、子機１は、第２案内画像Ｇ２に表示されていた呼出先情報Ａ１の第１画像Ｂ１を、低表示化された第２画像Ｂ２に切り替える。時刻ｔ３以降、呼出先情報Ａ１は、視認性の低い状態で画像表示される。また子機１は、低表示の実行中、低表示を解除するための「ＯＦＦ」表記の操作領域Ｒ１を表示する。
【００７５】
ここで、時刻ｔ４に、呼出先Ｃ１である１０２４号室の住人が親機２にて応答したとする。子機１は、親機２との通話を開始し、第２案内画像Ｇ２から、図４Ｂに示す第３案内画像Ｇ３に画面表示を遷移させる。第３案内画像Ｇ３においても、呼出先情報Ａ１の低表示は、通話が終了するまで（時刻ｔ５）継続される。図示例では、例えば、第１期間Ｔ１は、時刻ｔ２〜ｔ４の期間であり、第２期間Ｔ２は、時刻ｔ４〜ｔ５の期間である。この説明例では、時刻ｔ４の時点で低表示が既に実行中であるが、もし、低表示が実行されていなければ、子機１は、時刻ｔ４に第１画像Ｂ１を第２画像Ｂ２に切り替える。
【００７６】
このように本実施形態では、呼出先情報Ａ１が視認性の低い低表示となるため、呼出先情報Ａ１が、子機１の周囲に居合わせた他人に知られる可能性を低減できる。したがって、呼出先情報Ａ１に関する秘匿性の向上を図ることができる。
【００７７】
（３）変形例
上記実施形態は、本開示の様々な実施形態の一つに過ぎない。上記実施形態は、本開示の目的を達成できれば、設計等に応じて種々の変更が可能である。また、上記実施形態に係る子機側制御部１３と同様の機能は、インターホン玄関装置（子機１）の制御方法、コンピュータプログラム、又はコンピュータプログラムを記録した非一時的記録媒体等で具現化されてもよい。
【００７８】
以下、上記実施形態の変形例を列挙する。以下に説明する変形例は、適宜組み合わせて適用可能である。なお、以下では、上記実施形態を「基本例」と呼ぶこともある。
【００７９】
本開示における子機１は、例えば、子機側制御部１３等に、コンピュータシステムを含んでいる。コンピュータシステムは、ハードウェアとしてのプロセッサ及びメモリを主構成とする。コンピュータシステムのメモリに記録されたプログラムをプロセッサが実行することによって、本開示における子機側制御部１３としての機能が実現される。プログラムは、コンピュータシステムのメモリに予め記録されてもよく、電気通信回線を通じて提供されてもよく、コンピュータシステムで読み取り可能なメモリカード、光学ディスク、ハードディスクドライブ等の非一時的記録媒体に記録されて提供されてもよい。コンピュータシステムのプロセッサは、半導体集積回路（ＩＣ）又は大規模集積回路（ＬＳＩ）を含む１ないし複数の電子回路で構成される。複数の電子回路は、１つのチップに集約されていてもよいし、複数のチップに分散して設けられていてもよい。複数のチップは、１つの装置に集約されていてもよいし、複数の装置に分散して設けられていてもよい。
【００８０】
また、子機１における複数の機能が、１つの筐体に集約されていることは子機１に必須の構成ではなく、子機１の構成要素は、複数の筐体に分散して設けられていてもよい。さらに、子機側制御部１３等、子機１の少なくとも一部の機能は、例えば、クラウド（クラウドコンピューティング）等によって実現されてもよい。反対に、上記実施形態のように、子機１の全ての機能が、１つの筐体に集約されていてもよい。
【００８１】
（３．１）変形例１（非表示）
基本例では、呼出先情報Ａ１を視認性の低い低表示可能とするものである。しかし、子機１の表示部１８は、呼出先情報Ａ１を非表示可能としてもよい（図６Ｂ参照）。図６Ｂでは、呼出先情報Ａ１の４桁の数字が、全てアスタリスク表記に切り替わる。この場合も、表示部１８は、案内画像にて、呼出先情報Ａ１の非表示への切替、及び非表示の解除が可能な操作領域を出力することが好ましい。なお、非表示の期間と低表示の期間とは、混在してもよい。例えば、表示部１８は、第１期間Ｔ１において呼出先情報Ａ１を低表示とし、第２期間Ｔ２において呼出先情報Ａ１を非表示としてもよい。また、図６Ｂの例では、表示部１８は、呼出先情報Ａ１の４桁の数字を、全てアスタリスク表記に置き換えることで非表示としているが、記号等を何も表示しない、つまり「空白」とすることで非表示としてもよい。
【００８２】
また呼出先情報Ａ１の非表示は、４桁の数字が一括で非表示に切り替わる以外に、段階的に非表示となるものでもよい。例えば、図８Ａ〜図８Ｅに示すように、操作者Ｈ１が数字１桁を入力するたびに、僅かの間（例えば１秒間）だけ、無加工の数字を表示し、瞬時にその表示が非表示に切り替わるものでもよい。この場合、呼出先情報Ａ１は、第３期間Ｔ３内に非表示されることになる。
【００８３】
（３．２）変形例２（他の低表示）
基本例では、低表示は、モザイク表示により実現される。しかし、操作入力時に表示する呼出先情報Ａ１の第１画像Ｂ１（図３Ｂ及び図６Ａ参照）よりも視認性の低い表示であれば、モザイク表示に限定されない。
【００８４】
低表示は、例えば、以下に示す第１表示、第２表示、及び第３表示のうちのいずれか１つ以上を含む表示であってもよい。
【００８５】
第１表示は、操作入力時に表示する呼出先情報Ａ１（図６Ａ参照）の表示サイズよりも小さい表示である。図６Ｃは、第１表示の例（第３画像Ｂ３）を示す。第３画像Ｂ３の数字サイズ（フォントサイズ）は、第１画像Ｂ１の数字サイズよりも小さい。
【００８６】
第２表示は、操作入力時に表示する呼出先情報Ａ１の表示領域の少なくとも一部が欠落した表示である。図６Ｄは、第２表示の例（第４画像Ｂ４）を示す。第４画像Ｂ４は、第１画像Ｂ１に含まれていた４つの数字「１０２４」のうち「０」と「４」が欠落した状態である。第２表示は、「０」や「４」といった数字単位で欠落する以外に、例えば数字「０」の上半分が欠落して略「Ｕ」で表示するといったように、数字そのものが部分的に欠落した状態であってもよい。
【００８７】
第３表示は、操作入力時に表示する呼出先情報Ａ１よりも抽象化された表示である。基本例のモザイク表示は、第３表示に含まれる。図７Ａ〜図７Ｃは、モザイク表示以外の他の第３表示の例を示す。図７Ａの例（第５画像Ｂ５）では、呼出先情報Ａ１が「住人」という属性情報の表示に抽象化されている。図７Ｂの例（第６画像Ｂ６）では、呼出先情報Ａ１が「管理室」という属性情報の表示に抽象化されている。図７Ｃの例（第７画像Ｂ７）では、呼出先情報Ａ１が歪んだ数字の表示に抽象化されている。
【００８８】
また低表示は、図７Ｄに示す第８画像Ｂ８のように、元の第１画像Ｂ１の数字よりも色の薄い状態での表示でもよい。また低表示は、呼出先情報Ａ１の数字の色が周囲の色に近い色（例えば同系色）に調整された表示でもよい。また低表示は、図７Ｅに示す第９画像Ｂ９のように、点滅表示でもよい。点滅表示の場合、例えば消えている期間の方が、見えている期間よりも十分に長いことが好ましい。
【００８９】
この構成によれば、簡単な構成（画像処理のみ）で、呼出先情報Ａ１の低表示化を図ることができる。
【００９０】
（３．３）変形例３（親機又は情報端末からの指示）
基本例では、呼出先情報Ａ１は、子機１に対する所定の操作の受け付けに応じて、低表示される。基本例における所定の操作は、表示部１８へのタッチ操作、又は押しボタンＰ１（アスタリスクボタンＮ２、消ボタンＮ３、呼出ボタンＮ４又は機能ボタン１４０）への押し操作である。つまり、基本例では、子機１は、操作者Ｈ１の判断により、低表示（非表示でもよい）の有効／無効を選択できるように構成されている。
【００９１】
しかし、子機１は、外部からの信号（例えば後述する指示信号又は設定信号）を受信することで、呼出先情報Ａ１を、低表示（又は非表示）に切り替えるように構成されてもよい。
【００９２】
まず、親機２（通信装置）が「指示信号」を子機１に送信する構成について、図９を参照しながら説明する。なお、基本例の親機２と実質的に共通する構成要素については、図９における図示、及び説明を適宜に省略することがある。
【００９３】
親機２（通信装置）は、図９に示すように、指示部Ｙ１と、入力部Ｙ２と、を備えている。
【００９４】
入力部Ｙ２は、外部（例えば住人）からの入力を受け付けるように構成される。ここでは、入力部Ｙ２は、例えば、住人からの押し操作による入力を受け付ける、親機側操作部２４（押しボタン）により構成される。ただし、親機２の表示部２２がタッチパネル式の液晶ディスプレイであれば、入力部Ｙ２は、住人からのタッチ操作等による入力を受け付ける表示部２２により構成されてもよい。さらにあるいは、入力部Ｙ２は、住人からの音声入力を受け付ける、マイクロホンにより構成されてもよい。
【００９５】
指示部Ｙ１は、入力部Ｙ２への入力に応じて、呼出先情報を低表示（又は非表示）に切り替えるための指示信号を、子機１に送信するように構成される。ここでは、親機側制御部２３が、指示部Ｙ１を更に有している。言い換えると、親機側制御部２３が、指示部Ｙ１としての機能を更に有している。
【００９６】
一方、子機１の子機側制御部１３は、親機２から指示信号を受信すると、当該指示信号に応じて、表示部１８の呼出先情報Ａ１を、低表示（又は非表示）に切り替える。子機側制御部１３は、例えば、呼出中の第１期間Ｔ１内に指示信号を受信すると、ただちに呼出先情報Ａ１を低表示（又は非表示）に切り替える。
【００９７】
親機２は、呼出中（又は通話中）に、子機１における呼出先情報Ａ１の表示状況（例えば低表示か否か）を、表示部２２等から通知するように構成されることが望ましい。
【００９８】
この構成によれば、親機２からの入力により、呼出先情報Ａ１に関する秘匿性の向上を図ることができる。
【００９９】
子機１を操作する者の中には、自分で子機１に所定の操作を行って呼出先情報Ａ１を低表示（又は非表示）に切り替えるという行為を怠ったり失念したりする可能性がある。特に、例えば子供は、呼出先情報Ａ１の秘匿性に対する意識が低い傾向にあり、また普段から子機１の操作を行い慣れている場合、その行為を怠り易い。
【０１００】
これに対して、親機２から、子機１における呼出先情報Ａ１を低表示（又は非表示）に切り替えることができる。そのため、住人（例えば親）が、呼出中の第１期間Ｔ１内に入力部Ｙ２へ入力することで、子機１を操作する子供が上記行為を怠っても、対処できる。なお、基本例では、通話中の第２期間Ｔ２の開始時（図５の時刻ｔ４）には自動的に低表示化が実行されるが、仮に通話中の第２期間Ｔ２の開始時に自動的に低表示化が実行されない構成であっても、親機２の入力部Ｙ２への入力により低表示化が可能となる。
【０１０１】
次に、情報端末５０（通信装置）が、親機２を介して、「指示信号」を子機１に送信する構成について、図９を参照しながら説明する。
【０１０２】
以下、情報端末５０について説明する。情報端末５０は、例えば、携帯電話機、スマートフォン、又はタブレット等の、通信可能な携帯型の端末である。情報端末５０は、近距離無線通信を利用し、住戸Ｅ１内のルータ６０（図９参照）を介して親機２と通信を行う専用のアプリケーションソフト（第１通信アプリケーションソフト）をインストールしている。情報端末５０を携帯する住人が宅内に居る場合、情報端末５０は、第１通信アプリケーションソフトを起動することにより、親機２と通信を行う。
【０１０３】
また情報端末５０は、インターネット等の公衆網ＮＴ１、サーバ装置２５０、及びルータ６０を介して、親機２（又は制御装置３）と通信を行う専用のアプリケーションソフト（第２通信アプリケーションソフト）をインストールしている。情報端末５０を携帯する住人が宅外に居る場合、情報端末５０は、第２通信アプリケーションソフトを起動することにより、親機２（又は制御装置３）と通信を行う。親機２（又は制御装置３）には、情報端末５０の識別情報（電話番号、Ｍａｃアドレス情報等）が予め登録されている。なお、住人の所在が宅内か宅外かについて、例えば、親機２の親機側操作部２４として設けられている「不在ボタン」を住人が予め押して申告することで住人の在・不在が管理されてもよい。なお、図９は、一例として、情報端末５０を携帯する住人が宅外に居る場合における、情報端末５０及び親機２間の通信を示す。
【０１０４】
また子機１は、住戸Ｅ１内の親機２を介して、情報端末５０へ呼出信号や、映像信号等を送信する。子機１は、制御装置３を介して、情報端末５０へ呼出信号や、映像信号等を送信してもよい。情報端末５０を携帯する住人が宅内に居る場合、親機２は、ルータ６０を介して、呼出信号を情報端末５０に送信する。情報端末５０を携帯する住人が宅外に居る場合、親機２は、識別情報と共に呼出信号をサーバ装置２５０に送信し、サーバ装置２５０は、受け取った識別情報に対応する情報端末５０に呼出信号を送信する。情報端末５０を携帯する住人が宅外に居る場合、制御装置３が、公衆網ＮＴ１に接続されているゲートウェイを介して、識別情報と共に呼出信号をサーバ装置２５０に送信してもよい。そしてサーバ装置２５０は、受け取った識別情報に対応する情報端末５０に呼出信号を送信してもよい。したがって、操作者Ｈ１が子機１から呼出を実行すれば、情報端末５０にも呼出音が出力され、住人は、情報端末５０を用いて、宅内でも宅外でも操作者Ｈ１の映像を見ながら、通話が可能である。
【０１０５】
ここで、情報端末５０（通信装置）は、図９に示すように、処理部５１と、入力部５２と、を備えている。
【０１０６】
入力部５２は、外部（例えば住人）からの入力を受け付けるように構成される。ここでは、入力部５２は、例えば、情報端末５０が備えるタッチパネル式の液晶ディスプレイ（表示部）により構成される。入力部５２は、住人からのタッチ操作等による入力を受け付ける。なお、入力部５２は、情報端末５０が備える押しボタン式の操作部により構成されてもよい。すなわち、入力部５２は、住人からの押し操作による入力を受け付けてもよい。さらにあるいは、入力部５２は、情報端末５０が備えるマイクロホンにより構成されてもよい。すなわち、入力部５２は、住人からの音声入力を受け付けてもよい。
【０１０７】
処理部５１は、例えば、ＣＰＵ及びメモリを主構成とするマイクロコンピュータにて構成されている。そして、ＣＰＵがメモリに格納されているプログラムを実行することにより、マイクロコンピュータが処理部５１として機能する。ＣＰＵが実行するプログラムは、ここではマイクロコンピュータのメモリに予め記録されているが、メモリカード等の記録媒体に記録されて提供されてもよいし、インターネット等の電気通信回線を通じて提供されてもよい。処理部５１は、図９に示すように、指示部５１０を有している。言い換えると、処理部５１は、指示部５１０としての機能を有している。
【０１０８】
指示部５１０は、入力部５２への入力に応じて、呼出先情報を低表示（又は非表示）に切り替えるための指示信号を、子機１に送信するように構成される。指示部５１０は、情報端末５０を携帯する住人が宅内に居る場合、ルータ６０及び親機２を介して、指示信号を子機１に送信する。また指示部５１０は、情報端末５０を携帯する住人が宅外に居る場合、公衆網ＮＴ１、サーバ装置２５０、ルータ６０、及び親機２を介して、指示信号を子機１に送信する。サーバ装置２５０は、例えば、情報端末５０から、親機２の識別情報と共に指示信号を受信すると、対応する識別情報の親機２へ指示信号を送信する。指示部５１０は、情報端末５０を携帯する住人が宅外に居る場合、公衆網ＮＴ１、サーバ装置２５０、ゲートウェイ、及び制御装置３を介して、指示信号を子機１に送信してもよい。
【０１０９】
一方、子機１の子機側制御部１３は、情報端末５０から、親機２（又は制御装置３）等を介して指示信号を受信すると、当該指示信号に応じて、表示部１８の呼出先情報Ａ１を低表示（又は非表示）に切り替える。子機側制御部１３は、例えば、呼出中の第１期間Ｔ１内に指示信号を受信すると、ただちに呼出先情報Ａ１を低表示（又は非表示）に切り替える。
【０１１０】
情報端末５０は、呼出中（又は通話中）に、子機１における呼出先情報Ａ１の表示状況（例えば低表示か否か）を、表示部等から通知するように構成されることが望ましい。
【０１１１】
この構成によれば、情報端末５０からの入力により、呼出先情報Ａ１に関する秘匿性の向上を図ることができる。
【０１１２】
ところで、親機２及び情報端末５０は、呼出先情報Ａ１の低表示（又は非表示）に関する設定を子機１に対して事前に行えてもよい。言い換えると、子機１は、外部からの信号として「設定信号」を予め受信することで、呼出先情報Ａ１を、低表示（又は非表示）に切り替えるように構成されてもよい（事前設定）。事前設定は、例えば、低表示の有効、無効についての設定を含み得る。また事前設定は、非表示の有効、無効についての設定を含み得る。また事前設定は、低表示か非表示かの選択に関する設定を含み得る。
【０１１３】
親機２は、特定操作を受け付けることで、表示部２２に設定画面を表示させて、住人からの設定画面へのタッチ操作等を通じて、事前設定を受け付けるように構成される。また情報端末５０は、特定操作を受け付けることで、表示部に設定画面を表示させて、住人からの設定画面へのタッチ操作等を通じて、事前設定を受け付けるように構成される。親機２及び情報端末５０は、事前設定を受け付けると、子機１に設定信号を送信する。子機１は、受信した設定信号に応じて、その設定内容を自機の記憶部１６に記憶させる。そして、子機１は、実際に操作者Ｈ１からの部屋番号の入力が発生すると、記憶部１６を参照し、入力された部屋番号に対応する設定内容に準じて、呼出先情報Ａ１の低表示（又は非表示）を実行（又は非実行）する。この構成においても、親機２又は情報端末５０からの入力により、呼出先情報Ａ１に関する秘匿性の向上を図ることができる。
【０１１４】
なお、変形例３における通信装置（親機２及び情報端末５０）と同様の機能は、通信装置（親機２及び情報端末５０）の処理方法、コンピュータプログラム、又はコンピュータプログラムを記録した非一時的記録媒体等で具現化されてもよい。
【０１１５】
（３．４）その他の変形例
基本例では、低表示への切替に関する操作入力が無くても、低表示化が実行される期間は、通話中の第２期間Ｔ２だけであるが、呼出中の第１期間Ｔ１も含んでもよいし、更に第３期間Ｔ３も含んでもよい。
【０１１６】
基本例では、子機１は、低表示への切替に関する操作入力が無くても、通話中の第２期間Ｔ２では低表示を実行する。しかし、子機１は、通話中の第２期間Ｔ２も、操作者Ｈ１により低表示化の有効、無効を選択できるように構成されてもよい。
【０１１７】
基本例では、子機１は、低表示への切替やその解除に関する操作入力を受け付け可能に構成されている。しかし、そのような操作入力を受け付ける構成は、子機１において必須の構成ではない。子機１は、所定のタイミングで非表示又は低表示への切替を実行するように構成されてもよい。
【０１１８】
基本例では、表示部１８は、タッチパネル式の液晶ディスプレイであるが、タッチパネル式でなくてもよい。子機側操作部１４は、複数の押しボタンＰ１のみから構成されてもよい。すなわち、低表示（又は非表示）への切替、及び低表示（又は非表示）の解除は、いずれかの押しボタンＰ１へ押し操作により行われてもよい。
【０１１９】
基本例では、部屋番号の入力及び確定が、複数の押しボタンＰ１への押し操作により行われる。しかし、複数の押しボタンＰ１は、子機１にとって必須の構成要素ではない。子機側操作部１４は、表示部１８のみから構成され、部屋番号の入力及び確定も、表示部１８へのタッチ操作により行われてもよい。
【０１２０】
基本例、変形例１〜２における非表示及び各種の低表示の機能は、子機１の設置環境又は要望等に応じて適宜に変更可能であってもよい。例えば、子機１の施工者又は管理者が、子機側操作部１４の表示部１８へのタッチ操作を介して、非表示の機能と低表示の機能のうちいずれか一方を選択できてもよい。また、低表示の機能を選択した場合、複数種類ある低表示の機能のうちどの機能を採用するか選択できてもよい。
【０１２１】
上述した各種の低表示の機能は、組み合わせて適用されてもよい。呼出先情報Ａ１が「１０２４」という数字４桁の場合、１つ１つの数字に対して異なる低表示の機能が割り当てられてもよい。例えば「１」はモザイク表示、「０」は数字サイズを小さく、「２」は色を薄く、「４」は歪んだ数字表示とされてもよい。
【０１２２】
（４）利点
以上説明したように、第１の態様に係るインターホン玄関装置（子機１）は、表示部（１８）を備える。表示部（１８）は、操作入力により受け付けられた呼出先情報（Ａ１）を表示する。呼出先情報（Ａ１）は、呼出先（Ｃ１）を特定するための情報である。表示部（１８）は、呼出先（Ｃ１）の呼出中である第１期間（Ｔ１）、及び呼出先（Ｃ１）と通話中である第２期間（Ｔ２）の少なくとも一方の期間内において、呼出先情報（Ａ１）を、非表示又は視認性の低い低表示可能とする。第１の態様によれば、呼出先情報（Ａ１）に関する秘匿性の向上を図ることができる。
【０１２３】
第２の態様に係るインターホン玄関装置（子機１）に関して、第１の態様において、所定の操作の受け付けに応じて、表示部（１８）は、呼出先情報（Ａ１）を、非表示又は低表示に切り替えることが好ましい。第２の態様によれば、任意のタイミングで、非表示、又は低表示に切り替えることができ、利便性が向上される。
【０１２４】
第３の態様に係るインターホン玄関装置（子機１）に関して、第１又は第２の態様において、インターホン玄関装置（子機１）の外部から受信する信号に応じて、表示部（１８）は、呼出先情報（Ａ１）を、非表示又は低表示に切り替えることが好ましい。第３の態様によれば、インターホン玄関装置（子機１）の外部から、非表示、又は低表示に切り替えることができ、利便性が向上される。
【０１２５】
第４の態様に係るインターホン玄関装置（子機１）に関して、第１の態様〜第３の態様のいずれか１つにおいて、表示部（１８）は、操作領域（Ｒ１）を画像表示することが好ましい。表示部（１８）は、操作領域（Ｒ１）へのタッチ操作を受け付けたときに、呼出先情報（Ａ１）を、非表示又は低表示に切り替えることが好ましい。第４の態様によれば、任意のタイミングで、非表示、又は低表示に切り替えることができ、利便性が向上される。また、専用の押しボタンを設ける必要がない。
【０１２６】
第５の態様に係るインターホン玄関装置（子機１）に関して、第１の態様〜第４の態様のいずれか１つにおいて、規定の操作の受け付けに応じて、表示部（１８）は、非表示又は低表示を解除することが好ましい。第５の態様によれば、任意のタイミングで、非表示、又は低表示を解除することができ、利便性が向上される。
【０１２７】
第６の態様に係るインターホン玄関装置（子機１）に関して、第１〜第５の態様のいずれか１つにおいて、低表示とは、第１表示、第２表示、及び第３表示のうちのいずれか１つ以上を含む表示であることが好ましい。第１表示は、操作入力時に表示する呼出先情報（Ａ１）の表示サイズよりも小さい表示である。第２表示は、操作入力時に表示する呼出先情報（Ａ１）の表示領域の少なくとも一部が欠落した表示である。第３表示は、操作入力時に表示する呼出先情報（Ａ１）よりも抽象化された表示である。第６の態様によれば、簡単な構成（画像処理のみ）で、呼出先情報（Ａ１）の低表示化を図ることができる。
【０１２８】
第７の態様に係るインターホン玄関装置（子機１）に関して、第１〜第６の態様のいずれか１つにおいて、表示部（１８）は、更に、呼出先（Ｃ１）の呼出前である第３期間（Ｔ３）内においても、呼出先情報（Ａ１）を非表示又は低表示可能とすることが好ましい。第７の態様によれば、呼出先情報（Ａ１）に関する秘匿性が更に向上される。
【０１２９】
第８の態様に係るインターホンシステム（１０）は、第１〜第７の態様のいずれか１つにおけるインターホン玄関装置（子機１）と、呼出先（Ｃ１）であり、インターホン玄関装置（子機１）と通信する通信装置（親機２）と、を備える。第８の態様によれば、呼出先情報（Ａ１）に関する秘匿性の向上を図ることができるインターホン玄関装置（子機１）を備えたインターホンシステム（１０）を提供できる。
【０１３０】
第９の態様に係る制御方法は、インターホン玄関装置（子機１）の制御方法である。インターホン玄関装置（子機１）は、表示部（１８）を備える。表示部（１８）は、操作入力により受け付けられた呼出先情報（Ａ１）を表示する。呼出先情報（Ａ１）は、呼出先（Ｃ１）を特定するための情報である。制御方法は、呼出先（Ｃ１）の呼出中である第１期間（Ｔ１）、及び呼出先（Ｃ１）と通話中である第２期間（Ｔ２）の少なくとも一方の期間内において、表示部（１８）に、呼出先情報（Ａ１）を、非表示又は視認性の低い低表示させるステップを含む。第９の態様によれば、呼出先情報（Ａ１）に関する秘匿性の向上を図ることが可能な制御方法を提供できる。
【０１３１】
第１０の態様に係るプログラムは、コンピュータシステムに第９の態様における制御方法を実行させる。第１０の態様によれば、呼出先情報（Ａ１）に関する秘匿性の向上を図ることが可能な機能を提供できる。
【０１３２】
第１１の態様に係る通信装置（親機２、情報端末５０）は、第１〜第７の態様のいずれか１つにおけるインターホン玄関装置（子機１）と通信する。通信装置（親機２、情報端末５０）は、入力部（Ｙ２、５２）と、指示部（Ｙ１、５１０）と、を備える。入力部（Ｙ２、５２）は、外部からの入力を受け付ける。指示部（Ｙ１、５１０）は、入力に応じて、呼出先情報を非表示又は低表示に切り替えるための信号（指示信号又は設定信号）を、インターホン玄関装置（子機１）に送信する。第１１の態様によれば、通信装置（親機２、情報端末５０）からの入力により、呼出先情報（Ａ１）に関する秘匿性の向上を図ることができる。
【０１３３】
第１２の態様に係る処理方法は、第１〜第７の態様のいずれか１つにおけるインターホン玄関装置（子機１）と通信する通信装置（親機２、情報端末５０）の処理方法である。処理方法は、第１ステップと、第２ステップと、を含む。第１ステップにて、外部からの入力を受け付ける。第２ステップにて、入力に応じて、呼出先情報を非表示又は低表示に切り替えるための信号（指示信号又は設定信号）を、インターホン玄関装置（子機１）に送信する。第１２の態様によれば、呼出先情報（Ａ１）に関する秘匿性の向上を図ることが可能な処理方法を提供できる。
【０１３４】
第１３の態様に係るプログラムは、コンピュータシステムに第１２お態様における処理方法を実行させる。第１３の態様によれば、呼出先情報（Ａ１）に関する秘匿性の向上を図ることが可能な機能を提供できる。
【０１３５】
第２〜７の態様に係る構成については、インターホン玄関装置（子機１）に必須の構成ではなく、適宜省略可能である。
【符号の説明】
【０１３６】
１０  インターホンシステム
１  子機（インターホン玄関装置）
１８  表示部
２  親機（通信装置）
５０  情報端末（通信装置）
Ａ１  呼出先情報
Ｃ１  呼出先
Ｒ１  操作領域
Ｔ１  第１期間
Ｔ２  第２期間
Ｔ３  第３期間
Ｙ１、５１０  指示部
Ｙ２、５２  入力部
【図１】
2019195158.tif 000003
【図２】
2019195158.tif 000004
【図３】
2019195158.tif 000005
【図４】
2019195158.tif 000006
【図５】
2019195158.tif 000007
【図６】
2019195158.tif 000008
【図７】
2019195158.tif 000009
【図８】
2019195158.tif 000010
【図９】
2019195158.tif 000011